(57)【要約】【課題】  調乳ポットを加熱して調乳ポット内の水から湯を生成した後、迅速にこの湯を適温まで冷却することができる調乳ポット加熱装置を提供する。【解決手段】  調乳ポット加熱装置１０は、ケース１１と、ケース１１内に配置され、調乳ポット３０が載置される熱板１２とを有している。熱板１２はケース１１内に設けられた冷却ファン１３により支持されている。熱板１２上に調乳ポット３０が載置され、調乳ポット３０が熱板１２により加熱されると、調乳ポット３０内の水から沸騰水が生成される。冷却ファン１３を回転させ、空気取入口１８から流入する空気によって調乳ポット３０を冷却する。【選択図】  図１
2005110937.tif 000002
【特許請求の範囲】
【請求項１】
調乳ポットを加熱する調乳ポット加熱装置において、
ケースと、
ケース内に配置され、調乳ポットが載置される熱板と、
ケース内に配置され、調乳ポットを冷却する冷却ファンと、
を備えたことを特徴とする調乳ポット加熱装置。
【請求項２】
冷却ファンは熱板の下方に配置され、熱板とケースの内壁との間に空気通路が形成されていることを特徴とする請求項１記載の調乳ポット加熱装置。
【請求項３】
ケースの内壁は熱板を囲む耐熱カバーを有することを特徴とする請求項２記載の調乳ポット加熱装置。
【請求項４】
冷却ファンはケース底部に設けられ、熱板は冷却ファン上に固定されていることを特徴とする請求項１記載の調乳ポット加熱装置。
【請求項５】
ケース底部に空気取入口を設けたことを特徴とする請求項２記載の調乳ポット加熱装置。
【発明の詳細な説明】
【技術分野】
【０００１】
本発明は哺乳ビン中で調乳するための湯を短時間で得るための調乳ポット加熱装置に関する。
【背景技術】
【０００２】
従来より哺乳ビン中で調乳するための湯を得るため、調乳ポット加熱装置が用いられている。このような調乳ポット加熱装置を用いる際、まず調乳ポット内に水が充てんされ、次に調乳ポットが調乳ポット加熱装置に載置されて加熱され、湯が生成される。
【発明の開示】
【発明が解決しようとする課題】
【０００３】
従来の調乳ポット加熱装置において、水中のカルキ分を取除くため調乳ポット内の水が加熱されて沸騰する。次に調乳ポットが自然冷却され、調乳ポット内の湯を適温まで冷却している。
【０００４】
しかしながら調乳ポット内の湯を沸騰させてから適温まで冷却するまでに時間がかかるのが実情である。
【０００５】
本発明はこのような点を考慮してなされたものであり、調乳ポット内において湯を迅速に得ることができ、かつこの湯を適温まで容易に冷却することができる調乳ポット加熱装置を提供することを目的とする。
【課題を解決するための手段】
【０００６】
本発明は、調乳ポットを加熱する調乳ポット加熱装置において、ケースと、ケース内に配置され、調乳ポットが載置される熱板と、ケース内に配置され、調乳ポットを冷却する冷却ファンと、を備えたことを特徴とする調乳ポット加熱装置である。
【０００７】
本発明は、冷却ファンは熱板の下方に配置され、熱板とケースの内壁との間に空気通路が形成されていることを特徴とする調乳ポット加熱装置である。
【０００８】
本発明は、ケースの内壁は熱板を囲む耐熱カバーを有することを特徴とする調乳ポット加熱装置である。
【０００９】
本発明は、冷却ファンはケース底部に設けられ、熱板は冷却ファン上に固定されていることを特徴とする調乳ポット加熱装置である。
【００１０】
本発明は、ケース底部に空気取入口を設けたことを特徴とする調乳ポット加熱装置である。
【発明の効果】
【００１１】
本発明によれば、熱板により調乳ポット内の水を沸騰させた後、冷却ファンを用いて調乳ポットを冷却することにより、調乳ポット内の湯を迅速に適温まで冷却させることができる。このため調乳作業の迅速化を図ることができる。
【発明を実施するための最良の形態】
【００１２】
以下、図面を参照して本発明の実施の形態について説明する。
【００１３】
図１および図２は本発明による調乳ポット加熱装置の一実施の形態を示す図である。
【００１４】
図２に示すように、本発明による調乳ポット加熱装置１０は、載置された調乳ポット３０内の水を加熱して沸騰させるものである。
【００１５】
このような調乳ポット３０は、ガラス製のポット本体３１と、ポット本体３１を開閉自在に覆うカバー３３と、取手３２とを有し、ポット本体３１内に充てんされた水を沸騰させ、水中のカルキ分を除去して湯を生成するようになっている。ポット本体３１内で生成された湯は、適温まで冷却され図示しない哺乳ビン中へ充てんされ、哺乳ビン中に入れられた粉ミルクとともに混合してミルクを生成する（調乳）。
【００１６】
次に調乳ポット加熱装置１０について詳述する。調乳ポット加熱装置１０はケース１１と、ケース１１内に配置され調乳ポット３０のポット本体３１を載置する熱板１２と、ケース１１内に配置されポット本体３１を冷却する冷却ファン１３とを備えている。
【００１７】
このうち、ケース１１の外側本体はＰＣ製となっており、またケース１１は熱板１２を周囲から囲むＰＰＳ製の耐熱カバー１１ａを有している。耐熱カバー１１ａはケース１１の内壁として機能し、耐熱カバー１１ａと熱板１２との間には、空気通路２３が形成されている。またケース１１の底部１１ｂには、多数の空気取入口１８が形成されている。
【００１８】
さらに冷却ファン１３は、ファンカバー１３ｂと、ファンカバー１３ｂにより回転自在に支持されたファン１３ａとを有し、ファン１３ａを回転させることにより、空気取入口１８から外部の空気を取入れ、この空気を空気通路２３を経て調乳ポット３０のポット本体３１の外壁へ送り込んでポット本体３１を冷却するようになっている。
【００１９】
冷却ファン１３のファンカバー１３ｂはケース１１の底部１１ｂにより支持され、底部１１ｂの支持リブ１９にボルト２０によって固定されている。また熱板１２はファンカバー１３ｂの上部に支持体２２を介して支持されるとともに、支持体２２はファンカバー１３ｂ上部にボルト２１により固定され、また熱板１２の下部にボルト２５により固定されている。
【００２０】
なお、熱板１２はアルミニウム製となっており、また熱板１２内には、ニクロム線からなるヒータ１２ａが埋込まれている。
【００２１】
さらに熱板１２の略中央部には、温度センサ１５がスプリング１５ａにより弾性保持されており、熱板１２上にポット本体３１を載置した場合に温度センサ１５がポット本体３１に当接して、ポット本体３１の温度を検出するようになっている。
【００２２】
また、冷却ファン１３のファン１３ａおよび熱板１２のヒータ１２ａは、図示しない駆動制御機構により駆動制御されるようになっている。
【００２３】
次にこのような構成からなる本実施の形態の作用について説明する。まず調乳ポット３０のポット本体３１内に水が充てんされ、ポット本体３１が熱板１２上に載置される。
【００２４】
次に熱板１２のヒータ１２ａがＯＮとなり、熱板１２が加熱される。ヒータ１２ａは例えば７００Ｗヒータからなり、熱板１２を４５０℃近傍まで加熱することができる。
【００２５】
ヒータ１２ａにより熱板１２が加熱されると、これに伴なってポット本体３１も加熱され、ポット本体３１内の水が沸騰して湯を生成する。水を３〜４分間沸騰させることにより、水中のカルキ分を適切に除去することができる。
【００２６】
その後、ヒータ１２ａをＯＦＦとし、次に冷却ファン１３のファン１３ａを回転させる。この場合、ケース１１の底部１１ｂに設けられた空気取入口１１ｂから空気が取入れられる。空気取入口１１ｂから取入れられた空気はファン１３ａにより上方へ送られ、熱板１２と耐熱カバー１１ａとの間の空気通路２３を経てポット本体３１の外壁を冷却する。
【００２７】
このように冷却ファン１３によりポット本体３１を冷却することにより、ポット本体３１内の湯を調乳に適した温度（例えば５５℃）まで冷却する。
【００２８】
本実施の形態によれば、冷却ファン１３によりポット本体３１を強制的に冷却するので、ポット本体３１内の湯を沸騰温度（１００℃）から５５℃まで１０分程度で冷却することができる。
【００２９】
その後、温度センサ１５からの信号に基づいて、駆動制御機構によりヒータ１２ａをＯＮ／ＯＦＦさせ、ポット本体３１中の湯温を５５℃付近に保つ。
【００３０】
この間、必要に応じて調乳ポット３０が熱板１２から取外され、ポット本体３１内の湯が哺乳ビン（図示せず）内に注がれ、哺乳ビン内において粉ミルクと湯とが混合してミルクが生成される。
【００３１】
以上のように本実施の形態によれば、調乳ポット３０のポット本体３１内の水を沸騰させてカルキ分を除去させた後、冷却ファン１３を用いてポット本体３１を冷却させることにより、ポット本体３１内の湯を迅速に適温（５５℃）まで冷却させることができる。このため哺乳ビンによる調乳作業も迅速に行なうことができる。
【図面の簡単な説明】
【００３２】
【図１】本発明による調乳ポット加熱装置の一実施の形態を示す側断面図。
【図２】調乳ポット加熱装置と調乳ポットとを示す図。
【符号の説明】
【００３３】
１０  調乳ポット加熱装置
１１  ケース
１１ａ  耐熱カバー
１２  熱板
１２ａ  ヒータ
１３  冷却ファン
１３ａ  ファン
１３ｂ  ファンカバー
１５  温度センサ
１８  空気取入口
２３  空気通路
３０  調乳ポット
３１  ポット本体
【図１】
2005110937.tif 000003
【図２】
2005110937.tif 000004